(57)【要約】【課題】  無線通信装置を用いてＵＳＢインターフェイスを介して画像情報の送受信を行って画像を表示する場合等において、ＵＳＢホスト装置に接続される無線通信装置と同一のハードウェア構成を有する無線通信装置を、ＵＳＢデバイス装置に接続して無線通信させることが可能なＵＳＢアダプター等を提供すること。【解決手段】  ＵＳＢアダプター４００が、書画カメラ２００に接続される第１のＵＳＢレセプタクル４１２と、無線通信装置３００−１に接続される第２のＵＳＢレセプタクル４１４と、第１のＵＳＢレセプタクル４１２を介して書画カメラ２００に電力を供給するとともに、第２のＵＳＢレセプタクル４１４を介して無線通信装置３００−１に電力を供給する電力供給部４２０を含んで構成される。【選択図】  図４
2012008905.tif 000002
【特許請求の範囲】
【請求項１】
ＵＳＢデバイス装置と、ＵＳＢホスト機能またはＵＳＢデバイス機能を有効に設定可能な無線通信装置と、に接続されるＵＳＢアダプターであって、
前記ＵＳＢデバイス装置に接続される第１のＵＳＢレセプタクルと、
前記ＵＳＢホスト機能が有効化された無線通信装置に接続される第２のＵＳＢレセプタクルと、
前記第１のＵＳＢレセプタクルを介して前記ＵＳＢデバイス装置に電力を供給するとともに、前記第２のＵＳＢレセプタクルを介して前記無線通信装置に電力を供給する電力供給部と、
前記電力供給部にＡＣ電力を供給するためのＡＣケーブルが接続されるＡＣケーブル接続コネクターと、
前記第１のＵＳＢレセプタクルと前記第２のＵＳＢレセプタクルとを接続するデータ線と、
を含む、
ＵＳＢアダプター。
【請求項２】
ＵＳＢホスト機能またはＵＳＢデバイス機能を有効に設定可能な複数の無線通信装置と、ＵＳＢアダプターと、ＵＳＢデバイス装置である撮像装置と、ＵＳＢホスト装置である画像表示装置と、を含む画像表示システムであって、
前記ＵＳＢアダプターは、
前記撮像装置に接続される第１のＵＳＢレセプタクルと、
前記ＵＳＢホスト機能が有効化された前記無線通信装置に接続される第２のＵＳＢレセプタクルと、
前記第１のＵＳＢレセプタクルを介して、前記撮像装置に電力を供給するとともに、前記第２のＵＳＢレセプタクルを介して、前記ＵＳＢホスト機能が有効化された前記無線通信装置に電力を供給する電力供給部と、
前記電力供給部にＡＣ電力を供給するためのＡＣケーブルが接続されるＡＣケーブル接続コネクターと、
前記第１のＵＳＢレセプタクルと前記第２のＵＳＢレセプタクルとを接続するデータ線と、
を含み、
前記撮像装置は、
対象物を撮像して画像情報を生成する撮像部と、
前記第１のＵＳＢレセプタクルを介して前記電力供給部からの電力が入力されるデバイス側ＵＳＢレセプタクルと、
前記画像情報を、前記デバイス側ＵＳＢレセプタクルを介して前記ＵＳＢアダプターに出力するＵＳＢデバイス制御部と、
を含み、
前記無線通信装置は、
前記ＵＳＢホスト機能または前記ＵＳＢデバイス機能を有効に設定可能なＵＳＢ機能判別部と、
前記ＵＳＢアダプターの有する前記第２のＵＳＢレセプタクルまたは前記画像表示装置の有するホスト側ＵＳＢレセプタクルに接続される通信側ＵＳＢプラグと、
前記ＵＳＢデバイス機能が有効化された状態で、前記撮像装置からの前記画像情報を前記画像表示装置へ向け送信し、前記ＵＳＢホスト機能が有効化された状態で、前記撮像装置からの前記画像情報を受信する無線通信部と、
を含み、
前記画像表示装置は、
前記ＵＳＢデバイス機能が有効化された前記無線通信装置によって受信された前記画像情報が入力される前記ホスト側ＵＳＢレセプタクルと、
前記画像情報に基づく画像を表示する画像表示部と、
を含む、
画像表示システム。
【請求項３】
ＵＳＢホスト機能またはＵＳＢデバイス機能を有効に設定可能な複数の無線通信装置と、ＵＳＢアダプターと、ＵＳＢホスト装置である画像供給装置と、ＵＳＢデバイス装置である画像表示装置と、を含む画像表示システムであって、
前記ＵＳＢアダプターは、
前記画像表示装置に接続される第１のＵＳＢレセプタクルと、
前記ＵＳＢホスト機能が有効化された前記無線通信装置に接続される第２のＵＳＢレセプタクルと、
前記第１のＵＳＢレセプタクルを介して、前記画像表示装置に電力を供給するとともに、前記第２のＵＳＢレセプタクルを介して、前記ＵＳＢホスト機能が有効化された前記無線通信装置に電力を供給する電力供給部と、
前記電力供給部にＡＣ電力を供給するためのＡＣケーブルが接続されるＡＣケーブル接続コネクターと、
前記第１のＵＳＢレセプタクルと前記第２のＵＳＢレセプタクルとを接続するデータ線と、
を含み、
前記画像供給装置は、
画像情報を生成する画像情報生成部と、
前記ＵＳＢデバイス機能が有効化された前記無線通信装置に接続されるホスト側ＵＳＢレセプタクルと、
前記画像情報を、前記ホスト側ＵＳＢレセプタクルを介して前記ＵＳＢデバイス機能が有効化された前記無線通信装置に出力するＵＳＢホスト制御部と、
を含み、
前記無線通信装置は、
前記ＵＳＢホスト機能または前記ＵＳＢデバイス機能を有効に設定可能なＵＳＢ機能判別部と、
前記ＵＳＢアダプターの有する前記第２のＵＳＢレセプタクルまたは前記画像供給装置の有する前記ホスト側ＵＳＢレセプタクルに接続される通信側ＵＳＢプラグと、
前記ＵＳＢデバイス機能が有効化された状態で、前記画像供給装置からの前記画像情報を前記画像表示装置へ向け送信し、前記ＵＳＢホスト機能が有効化された状態で、前記画像供給装置からの前記画像情報を受信する無線通信部と、
を含み、
前記画像表示装置は、
前記ＵＳＢホスト機能が有効化された前記無線通信装置によって受信された前記画像情報と、前記電力供給部からの電力とが入力されるデバイス側ＵＳＢレセプタクルと、
前記画像情報に基づく画像を表示する画像表示部と、
を含む、
画像表示システム。
【請求項４】
請求項２または請求項３に記載の画像表示システムにおいて、
前記無線通信装置の有する前記ＵＳＢ機能判別部は、前記ＵＳＢホスト機能または前記ＵＳＢデバイス機能のどちらを有効化させるかを設定する設定データを記憶する不揮発性メモリーを有し、前記設定データを更新することにより、前記ＵＳＢホスト機能または前記ＵＳＢデバイス機能を有効化する、
画像表示システム。
【請求項５】
請求項２または請求項３に記載の画像表示システムにおいて、
前記ＵＳＢアダプターは、前記無線通信装置と嵌合する第１の嵌合部を含み、
前記無線通信装置は、前記第１の嵌合部と嵌合する第２の嵌合部を含み、
前記無線通信装置の有する前記ＵＳＢ機能判別部は、前記第１の嵌合部と前記第２の嵌合部との嵌合状態に基づき、前記ＵＳＢホスト機能または前記ＵＳＢデバイス機能を有効化する、
画像表示システム。
【請求項６】
請求項２または請求項３に記載の画像表示システムにおいて、
前記無線通信装置の有する前記ＵＳＢ機能判別部は、前記通信側ＵＳＢプラグに入力される電気信号に基づき、前記ＵＳＢホスト機能または前記ＵＳＢデバイス機能を有効化する、
画像表示システム。
【請求項７】
請求項２〜６のいずれかに記載の表示システムにおいて、
前記画像表示装置は、前記画像情報に基づく画像を、投写することによって表示するプロジェクターである、
画像表示システム。
【請求項８】
ＵＳＢホスト機能またはＵＳＢデバイス機能を有効に設定可能であって、かつ、無線通信機能を有する複数の無線通信装置と、ＵＳＢアダプターと、ＵＳＢデバイス装置である撮像装置と、ＵＳＢホスト装置である画像表示装置とによる画像表示方法であって、
前記ＵＳＢアダプターは、
前記撮像装置に接続される第１のＵＳＢレセプタクルと、
前記ＵＳＢホスト機能が有効化された前記無線通信装置に接続される第２のＵＳＢレセプタクルと、
前記第１のＵＳＢレセプタクルを介して、前記撮像装置に電力を供給するとともに、前記第２のＵＳＢレセプタクルを介して、前記ＵＳＢホスト機能が有効化された前記無線通信装置に電力を供給する電力供給部と、
前記電力供給部にＡＣ電力を供給するためのＡＣケーブルが接続されるＡＣケーブル接続コネクターと、
前記第１のＵＳＢレセプタクルと前記第２のＵＳＢレセプタクルとを接続するデータ線と、
を含み、
前記撮像装置は、対象物を撮像して生成した画像情報を、前記ＵＳＢアダプターを介して、前記ＵＳＢホスト機能が有効化された前記無線通信装置に出力し、
前記ＵＳＢホスト機能が有効化された前記無線通信装置は、前記画像情報を、前記画像表示装置へ向け送信し、
前記ＵＳＢデバイス機能が有効化された前記無線通信装置は、前記画像情報を受信し、
前記画像表示装置は、前記ＵＳＢデバイス機能が有効化された前記無線通信装置に接続され、当該無線通信装置から入力される前記画像情報に基づき、画像を表示する、
画像表示方法。
【発明の詳細な説明】
【技術分野】
【０００１】
本発明は、無線通信装置に接続されるＵＳＢアダプター、画像表示システムおよび画像表示方法に関する。
【背景技術】
【０００２】
近年では、ＰＣ（Personal Computer）だけでなく、ＤＶＤプレーヤー、プリンター、プロジェクター等の組込み製品も、ＵＳＢ（Universal Serial Bus）ホスト装置として機能する仕組みを備えている。例えば、プロジェクター等のＵＳＢホスト装置が、書画カメラ等のＵＳＢデバイス装置とＵＳＢケーブルを介して接続され、書画カメラの撮像画像を示す画像情報に基づいて画像を投写することがある。しかし、ＵＳＢケーブルを用いた有線接続は、ＵＳＢケーブルが邪魔になったり、使用可能なＵＳＢケーブルの長さに制限があったりすることにより、ＵＳＢホスト装置およびＵＳＢデバイス装置の設置の自由度が制限されていた。このため、これまでに無線ＬＡＮ、ワイヤレスＵＳＢ等を用いて、無線による画像情報の転送を行う方法が提案されてきた。例えば、特開２００９−２９５０２２号公報では、ワイヤレスＵＳＢ機能を付加することを目的として、ホストコネクター、デバイスコネクター、充電池、ワイヤレス通信部等を有する無線アダプターを用いる手法が提案されている。一般的には、ＵＳＢの規格においては、ＵＳＢホスト装置からＵＳＢデバイス装置に対して電力を供給する仕様となっているため、ＵＳＢデバイス装置に装着される側の無線アダプターへの給電ができない。このため、特開２００９−２９５０２２号公報の無線アダプターは、充電池および充電機構を有している。
【先行技術文献】
【特許文献】
【０００３】
【特許文献１】特開２００９−２９５０２２号公報
【発明の概要】
【発明が解決しようとする課題】
【０００４】
しかし、特開２００９−２９５０２２号公報の手法の場合、無線アダプターをＵＳＢホスト装置であるＰＣに接続して充電が完了した後に、当該無線アダプターをデバイスであるハードディスクドライブに接続して使用する必要がある。このため、上記手法は、充電の手間がかかるため、学校等で用いられるプロジェクターや、長期間運用されるプロジェクター等には向いていない。
【０００５】
また、ＵＳＢインターフェイスの非対称性に合わせて、ＵＳＢホスト装置用の無線アダプターと、ＵＳＢデバイス装置用の無線アダプターを用いる手法も考えられるが、当該手法は認可手続の点から好ましくない。すなわち、一般に電波は公共の資源であるため、世界のほとんどの国や地域においては、無線通信装置の利用に法認可手続が必要である。このような法認可手続には正規の試験設備を有する認証機関における試験を必要とするため、試験費用が高額になることが多い。このため、ＵＳＢホスト装置用の無線アダプターと、ＵＳＢデバイス装置用の無線アダプターを用いる手法の場合、それぞれで法認可手続を行う必要があり、法認可手続のコスト増加のデメリットがある。
【０００６】
本発明にかかるいくつかの態様は、上記課題を解決することにより、無線通信装置を用いてＵＳＢインターフェイスを介して画像情報の送受信を行って画像を表示する場合等において、ＵＳＢホスト装置に接続される無線通信装置と同一のハードウェア構成を有する無線通信装置を、ＵＳＢデバイス装置に接続して無線通信させることが可能なＵＳＢアダプター、画像表示システムおよび画像表示方法を提供することにある。
【課題を解決するための手段】
【０００７】
本発明の態様の１つであるＵＳＢアダプターは、ＵＳＢデバイス装置と、ＵＳＢホスト機能またはＵＳＢデバイス機能を有効に設定可能な無線通信装置と、に接続されるＵＳＢアダプターであって、前記ＵＳＢデバイス装置に接続される第１のＵＳＢレセプタクルと、前記ＵＳＢホスト機能が有効化された無線通信装置に接続される第２のＵＳＢレセプタクルと、前記第１のＵＳＢレセプタクルを介して前記ＵＳＢデバイス装置に電力を供給するとともに、前記第２のＵＳＢレセプタクルを介して前記ＵＳＢホスト機能が有効化された前記無線通信装置に電力を供給する電力供給部と、前記電力供給部にＡＣ（Alternating Current）電力を供給するためのＡＣケーブルが接続されるＡＣケーブル接続コネクターと、前記第１のＵＳＢレセプタクルと前記第２のＵＳＢレセプタクルとを接続するデータ線と、を含むことを特徴とする。
【０００８】
本発明によれば、ＵＳＢアダプターは、当該ＵＳＢアダプターに接続された、ＵＳＢデバイス装置と、ＵＳＢホスト機能が有効化された無線通信装置のそれぞれに対し、電力供給部からの電力を供給することができる。さらに、ＵＳＢデバイス装置と、無線通信装置とが、ＵＳＢアダプターが有するデータ線を介して互いに情報のやりとりを行うことができる。これらにより、ＵＳＢアダプターは、無線通信装置を用いてＵＳＢインターフェイスを介して画像情報の送受信を行って画像を表示する場合等において、ＵＳＢホスト装置に接続される無線通信装置と同一のハードウェア構成を有する無線通信装置を、ＵＳＢデバイス装置に接続して無線通信させることができる。また、設計者等は、ＵＳＢアダプターのこのような特徴により、給電能力を備えたＵＳＢホスト装置用の無線通信装置と、給電能力を備えていないＵＳＢデバイス装置用の無線通信装置とを、それぞれ専用に設計する必要がないため、無線通信装置の設計開発工数を節減できる。
【０００９】
また、本発明の態様の１つである画像表示システムは、ＵＳＢホスト機能またはＵＳＢデバイス機能を有効に設定可能な複数の無線通信装置と、ＵＳＢアダプターと、ＵＳＢデバイス装置である撮像装置と、ＵＳＢホスト装置である画像表示装置と、を含む画像表示システムであって、前記ＵＳＢアダプターは、前記撮像装置に接続される第１のＵＳＢレセプタクルと、前記ＵＳＢホスト機能が有効化された前記無線通信装置に接続される第２のＵＳＢレセプタクルと、前記第１のＵＳＢレセプタクルを介して、前記撮像装置に電力を供給するとともに、前記第２のＵＳＢレセプタクルを介して、前記ＵＳＢホスト機能が有効化された前記無線通信装置に電力を供給する電力供給部と、前記電力供給部にＡＣ電力を供給するためのＡＣケーブルが接続されるＡＣケーブル接続コネクターと、前記第１のＵＳＢレセプタクルと前記第２のＵＳＢレセプタクルとを接続するデータ線と、を含み、前記撮像装置は、対象物を撮像して画像情報を生成する撮像部と、前記第１のＵＳＢレセプタクルを介して前記電力供給部からの電力が入力されるデバイス側ＵＳＢレセプタクルと、前記画像情報を、前記デバイス側ＵＳＢレセプタクルを介して前記ＵＳＢアダプターに出力するＵＳＢデバイス制御部と、を含み、前記無線通信装置は、前記ＵＳＢホスト機能または前記ＵＳＢデバイス機能を有効に設定可能なＵＳＢ機能判別部と、前記ＵＳＢアダプターの有する前記第２のＵＳＢレセプタクルまたは前記画像表示装置の有するホスト側ＵＳＢレセプタクルに接続される通信側ＵＳＢプラグと、前記ＵＳＢデバイス機能が有効化された状態で、前記撮像装置からの前記画像情報を前記画像表示装置へ向け送信し、前記ＵＳＢホスト機能が有効化された状態で、前記撮像装置からの前記画像情報を受信する無線通信部と、を含み、前記画像表示装置は、前記ＵＳＢデバイス機能が有効化された前記無線通信装置によって受信された前記画像情報が入力される前記ホスト側ＵＳＢレセプタクルと、前記画像情報に基づく画像を表示する画像表示部と、を含むことを特徴とする。
【００１０】
また、本発明の態様の１つである画像表示方法は、ＵＳＢホスト機能またはＵＳＢデバイス機能を有効に設定可能であって、かつ、無線通信機能を有する複数の無線通信装置と、ＵＳＢアダプターと、ＵＳＢデバイス装置である撮像装置と、ＵＳＢホスト装置である画像表示装置とによる画像表示方法であって、前記ＵＳＢアダプターは、前記撮像装置に接続される第１のＵＳＢレセプタクルと、前記ＵＳＢホスト機能が有効化された前記無線通信装置に接続される第２のＵＳＢレセプタクルと、前記第１のＵＳＢレセプタクルを介して、前記撮像装置に電力を供給するとともに、前記第２のＵＳＢレセプタクルを介して、前記ＵＳＢホスト機能が有効化された前記無線通信装置に電力を供給する電力供給部と、前記電力供給部にＡＣ電力を供給するためのＡＣケーブルが接続されるＡＣケーブル接続コネクターと、前記第１のＵＳＢレセプタクルと前記第２のＵＳＢレセプタクルとを接続するデータ線と、を含み、前記撮像装置は、対象物を撮像して生成した画像情報を、前記ＵＳＢアダプターを介して、前記ＵＳＢホスト機能が有効化された前記無線通信装置に出力し、前記ＵＳＢホスト機能が有効化された前記無線通信装置は、前記画像情報を、前記画像表示装置へ向け送信し、前記ＵＳＢデバイス機能が有効化された前記無線通信装置は、前記画像情報を受信し、前記画像表示装置は、前記ＵＳＢデバイス機能が有効化された前記無線通信装置に接続され、当該無線通信装置から入力される前記画像情報に基づき、画像を表示することを特徴とする。
【００１１】
本発明によれば、画像表示システム等は、給電能力を備えたＵＳＢホスト装置に接続される無線通信装置と、給電能力を備えていないＵＳＢデバイス装置に接続される無線通信装置とを、それぞれ専用に利用することなく、ＵＳＢデバイス装置として機能する撮像装置が、ＵＳＢアダプターを介して、ＵＳＢホスト機能が有効化された無線通信装置に接続され、ＵＳＢホスト装置として機能する画像表示装置が、ＵＳＢデバイス機能が有効化された無線通信装置に接続された状態で、画像情報を無線で送受信することが可能になる。これにより、画像表示システム等は、無線通信装置を用いてＵＳＢインターフェイスを介して画像情報の送受信を行って画像を表示する場合等において、ＵＳＢホスト装置に接続される無線通信装置と同一のハードウェア構成を有する無線通信装置を、ＵＳＢデバイス装置に接続して無線通信させることができる。さらに、画像表示システム等は、ＵＳＢデバイス装置として設計された撮像装置に対してＵＳＢアダプターから電力を供給することができるので、ケーブルの接続を簡素化することができるため、ユーザーの利便性を向上させることができる。
【００１２】
また、本発明の態様の１つである画像表示システムは、ＵＳＢホスト機能またはＵＳＢデバイス機能を有効に設定可能な複数の無線通信装置と、ＵＳＢアダプターと、ＵＳＢホスト装置である画像供給装置と、ＵＳＢデバイス装置である画像表示装置と、を含む画像表示システムであって、前記ＵＳＢアダプターは、前記画像表示装置に接続される第１のＵＳＢレセプタクルと、前記ＵＳＢホスト機能が有効化された前記無線通信装置に接続される第２のＵＳＢレセプタクルと、前記第１のＵＳＢレセプタクルを介して、前記画像表示装置に電力を供給するとともに、前記第２のＵＳＢレセプタクルを介して、前記ＵＳＢホスト機能が有効化された前記無線通信装置に電力を供給する電力供給部と、前記電力供給部にＡＣ電力を供給するためのＡＣケーブルが接続されるＡＣケーブル接続コネクターと、前記第１のＵＳＢレセプタクルと前記第２のＵＳＢレセプタクルとを接続するデータ線と、を含み、前記画像供給装置は、画像情報を生成する画像情報生成部と、前記ＵＳＢデバイス機能が有効化された前記無線通信装置に接続されるホスト側ＵＳＢレセプタクルと、前記画像情報を、前記ホスト側ＵＳＢレセプタクルを介して前記ＵＳＢデバイス機能が有効化された前記無線通信装置に出力するＵＳＢホスト制御部と、を含み、前記無線通信装置は、前記ＵＳＢホスト機能または前記ＵＳＢデバイス機能を有効に設定可能なＵＳＢ機能判別部と、前記ＵＳＢアダプターの有する前記第２のＵＳＢレセプタクルまたは前記画像供給装置の有する前記ホスト側ＵＳＢレセプタクルに接続される通信側ＵＳＢプラグと、前記ＵＳＢデバイス機能が有効化された状態で、前記画像供給装置からの前記画像情報を前記画像表示装置へ向け送信し、前記ＵＳＢホスト機能が有効化された状態で、前記画像供給装置からの前記画像情報を受信する無線通信部と、を含み、前記画像表示装置は、前記ＵＳＢホスト機能が有効化された前記無線通信装置によって受信された前記画像情報と、前記電力供給部からの電力とが入力されるデバイス側ＵＳＢレセプタクルと、前記画像情報に基づく画像を表示する画像表示部と、を含むことを特徴とする。
【００１３】
本発明によれば、画像表示システム等は、給電能力を備えたＵＳＢホスト装置に接続される無線通信装置と、給電能力を備えていないＵＳＢデバイス装置に接続される無線通信装置とを、それぞれ専用に利用することなく、ＵＳＢデバイス装置として機能する画像表示装置が、ＵＳＢアダプターを介して、ＵＳＢホスト機能が有効化された無線通信装置に接続され、ＵＳＢホスト装置として機能する画像供給装置が、ＵＳＢデバイス機能が活性化されたＵＳＢ周辺装置に接続された状態で、画像情報を無線で送受信することが可能になる。これにより、画像表示システム等は、無線通信装置を用いてＵＳＢインターフェイスを介して画像情報の送受信を行って画像を表示する場合等において、ＵＳＢホスト装置に接続される無線通信装置と同一のハードウェア構成を有する無線通信装置を、ＵＳＢデバイス装置に接続して無線通信させることができる。
【００１４】
また、前記無線通信装置の有する前記ＵＳＢ機能判別部は、前記ＵＳＢホスト機能または前記ＵＳＢデバイス機能のどちらを有効化させるかを設定する設定データを記憶する不揮発性メモリーを有し、前記設定データを更新することにより、前記ＵＳＢホスト機能または前記ＵＳＢデバイス機能を有効化してもよい。これによれば、無線通信装置は、不揮発性メモリーに記憶された設定データを更新することにより、ＵＳＢホスト機能とＵＳＢデバイス機能とを切り替えることができる。これにより、画像表示システム等は、例えば、ＵＳＢホスト装置としての画像表示装置に接続された無線通信装置と同一のハードウェア構成を有する無線通信装置を、ＵＳＢアダプターを介して、ＵＳＢデバイス装置としての撮像装置に接続して無線通信させることができる。
【００１５】
また、前記ＵＳＢアダプターは、前記無線通信装置と嵌合する第１の嵌合部を含み、前記無線通信装置は、前記第１の嵌合部と嵌合する第２の嵌合部を含み、前記無線通信装置の有する前記ＵＳＢ機能判別部は、前記第１の嵌合部と前記第２の嵌合部との嵌合状態に基づき、前記ＵＳＢホスト機能または前記ＵＳＢデバイス機能を有効化してもよい。これによれば、無線通信装置は、ＵＳＢアダプターとの嵌合状態に基づいてＵＳＢホスト機能とＵＳＢデバイス機能とを切り替えることができる。これにより、画像表示システム等は、例えば、ＵＳＢホスト装置としての画像表示装置に接続された無線通信装置と同一のハードウェア構成を有する無線通信装置を、ＵＳＢアダプターを介して、ＵＳＢデバイス装置としての撮像装置に接続して無線通信させることができる。
【００１６】
また、前記無線通信装置の有する前記ＵＳＢ機能判別部は、前記通信側ＵＳＢプラグに入力される電気信号に基づき、前記ＵＳＢホスト機能または前記ＵＳＢデバイス機能を有効化してもよい。これによれば、無線通信装置は、電気信号に基づいてＵＳＢホスト機能とＵＳＢデバイス機能とを切り替えることができる。これにより、画像表示システム等は、例えば、ＵＳＢホスト装置としての画像表示装置に接続された無線通信装置と同一のハードウェア構成を有する無線通信装置を、ＵＳＢアダプターを介して、ＵＳＢデバイス装置としての撮像装置に接続して無線通信させることができる。
【００１７】
また、前記画像表示装置は、前記画像情報に基づく画像を、投写することによって表示するプロジェクターであってもよい。これによれば、例えば、ユーザーは、有線ケーブルが届かない距離に離間して設置された撮像装置とプロジェクターとを、無線通信装置を用いて無線で接続することにより、撮像装置が撮像した画像を示す画像情報を、プロジェクターに伝送して表示させることができる。
【図面の簡単な説明】
【００１８】
【図１】第１の実施例における画像の表示状況の一例を示す図である。
【図２】図２（Ａ）は、第１の実施例におけるＵＳＢアダプターを第１の視線方向で見た場合の斜視図であり、図２（Ｂ）は、第１の実施例におけるＵＳＢアダプターを第１の視線方向と逆の視線方向で見た場合の斜視図である。
【図３】第１の実施例における表示システムを構成する各部の接続方法を示す図である。
【図４】第１の実施例における画像表示システムの機能ブロック図である。
【図５】第１の実施例におけるＵＳＢアダプターの配線の一例を示す図である。
【図６】第１の実施例における書画カメラ側の無線通信手順を示すフローチャートの一例を示す図である。
【図７】第１の実施例におけるプロジェクターでの無線通信手順を示すフローチャートの一例を示す図である。
【図８】第２の実施例における画像表示システムを構成する各部の接続方法を示す図である。
【図９】図９（Ａ）は、第２の実施例におけるＵＳＢアダプターを第１の視線方向で見た場合の斜視図であり、図９（Ｂ）は、第２の実施例におけるＵＳＢアダプターを第１の視線方向と逆の視線方向で見た場合の斜視図である。
【図１０】第２の実施例における画像表示システムを構成する各部の接続方法を示す図である。
【図１１】第２の実施例における画像表示システムの機能ブロック図である。
【図１２】その他の実施例における画像表示システムの機能ブロック図である。
【発明を実施するための形態】
【００１９】
以下、本発明を書画カメラ等に接続されるＵＳＢアダプター等に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、第１の実施例における画像の表示状況の一例を示す図である。撮像装置の一種である書画カメラ２００が、ＵＳＢケーブル５００、ＵＳＢアダプター４００を介して無線通信装置３００−１に接続され、画像表示装置の一種であるプロジェクター１００が無線通信装置３００−２に接続されている。本実施例においては、プロジェクター１００はＵＳＢホスト装置として機能し、書画カメラ２００はＵＳＢデバイス装置として機能する。書画カメラ２００は、無線通信装置３００−１を用いて撮像画像を示す画像情報をプロジェクター１００へ向け送信する。プロジェクター１００は、無線通信装置３００−２を用いて当該画像情報を受信し、当該画像情報に基づき、スクリーン１０に画像２０を投写する。
【００２１】
なお、本実施例における「送信」は、画像情報を送る際に接続先から、画像情報を受け取ったことを示す応答信号を受け取る動作を含んでいるものとする。また、本実施例における「受信」は、画像情報を接続先から受け取った際に、接続先に対して画像情報を受け取ったことを示す応答信号を返す動作を含んでいるものとする。また、無線通信装置３００−１、３００−２は、ＵＳＢホスト機能またはＵＳＢデバイス機能を有効に設定可能であり、同一のハードウェア構成を有している。無線通信装置３００−１はＵＳＢホスト機能が有効化され、ＵＳＢデバイス機能が無効になっている。また、無線通信装置３００−２はＵＳＢデバイス機能が有効化され、ＵＳＢホスト機能が無効になっている。
【００２２】
ここで、ＵＳＢアダプター４００について説明する。図２（Ａ）は、第１の実施例におけるＵＳＢアダプター４００を第１の視線方向で見た場合の斜視図であり、図２（Ｂ）は、第１の実施例におけるＵＳＢアダプター４００を第１の視線方向と逆の視線方向で見た場合の斜視図である。ＵＳＢアダプター４００は、第１のＵＳＢレセプタクル（Ａ型レセプタクル）４１２と、第２のＵＳＢレセプタクル（Ａ型レセプタクル）４１４と、ＡＣケーブル接続コネクター４２２と、起動スイッチ４２４を含んで構成されている。第２のＵＳＢレセプタクル４１４には無線通信装置３００−１が接続される。図２（Ａ）および図２（Ｂ）では、ほぼＬ字形状のＵＳＢアダプター４００における当該Ｌ字形状の内側角部の近傍に第２のＵＳＢレセプタクル４１４が設けられ、当該第２のＵＳＢレセプタクル４１４に無線通信装置３０１の通信側ＵＳＢプラグ３１０が、上記第１の視線方向で見た場合に縦長の状態で接続される取付構造が例示されている。当該取付構造の物理的形状や無線通信装置３００の接続方法等は任意であり、例えば、上記第１の視線方向で見た場合に横長の状態（９０度回転させた状態）で通信側ＵＳＢプラグ３１０が第２のＵＳＢレセプタクル４１４に接続されてもよい。ＡＣケーブル接続コネクター４２２には、ＡＣケーブル７００の一端が接続され、ＡＣケーブル７００の他端は商用電力（例えば、ＡＣ１００ボルト等）を供給するコンセントパネル８０１にあるコンセントに接続される。これにより、ＵＳＢアダプター４００は、ＡＣケーブル７００を介して電力が供給される。なお、プロジェクター１００は、ＡＣケーブル７１０を介して、コンセントパネル８００にあるコンセントに接続されることにより、ＡＣケーブル７１０を介して電力が供給される。
【００２３】
図３は、第１の実施例における画像表示システムを構成する各部の接続方法を示す図である。プロジェクター１００は、ホスト側ＵＳＢレセプタクル（Ａ型レセプタクル）１１０を含んで構成されている。無線通信装置３００−２の有する通信側ＵＳＢプラグ（Ａ型プラグ）３１０はホスト側ＵＳＢレセプタクル１１０に差し込まれる。
【００２４】
書画カメラ２００は、デバイス側ＵＳＢレセプタクル（Ｂ型レセプタクル）２１０を含んで構成されている。ＵＳＢケーブル５００は、Ｂ型ＵＳＢプラグ５１２を有するコネクター５１０と、デバイス側ＵＳＢプラグ（Ａ型プラグ）５２２を有するコネクター５２０と、コネクター５１０とコネクター５２０を接続するケーブル５３０を含んで構成されている。Ｂ型ＵＳＢプラグ５１２はデバイス側ＵＳＢレセプタクル２１０に差し込まれ、デバイス側ＵＳＢプラグ５２２は第１のＵＳＢレセプタクル４１２に差し込まれる。また、無線通信装置３００−１の通信側ＵＳＢプラグ（Ａ型プラグ）３１０は第２のＵＳＢレセプタクル４１４に差し込まれる。
【００２５】
プロジェクター１００は、ＵＳＢホスト装置であるため、ＵＳＢデバイス装置として機能する無線通信装置３００−２に電力を供給することができる。一方、書画カメラ２００はＵＳＢデバイス装置であるため、無線通信装置３００−１はＵＳＢホスト装置として機能することになり、書画カメラ２００から無線通信装置３００−１に電力を供給することができない。本実施例では、ＵＳＢアダプター４００が、電力供給機能を有しており、第１のＵＳＢレセプタクル４１２を介して書画カメラ２００に電力を供給するとともに、第２のＵＳＢレセプタクル４１４を介して無線通信装置３００−１に電力を供給する。次に、このような機能を有するＵＳＢアダプター４００等の機能ブロックについて説明する。
【００２６】
図４は、第１の実施例における画像表示システムの機能ブロック図である。プロジェクター１００は、画像表示部の一種である投写部１９０と、ＵＳＢホスト機能を有するＵＳＢホスト制御部１５０と、ホスト側ＵＳＢレセプタクル１１０と、ＡＣケーブル７１０を介して電力が供給され、ＵＳＢホスト制御部１５０等に電力を供給する電力供給部１７０を含んで構成されている。
【００２７】
無線通信装置３００は、通信側ＵＳＢプラグ３１０と、制御部３２０と、不揮発性メモリー３５４を有するＵＳＢ機能判別部３５０と、無線通信部３４０と、無線通信部３４０を制御する無線通信制御部３３０を含んで構成されている。制御部３２０は、ＵＳＢデバイス機能を有するＵＳＢデバイス制御部３２２と、ＵＳＢホスト機能を有するＵＳＢホスト制御部３２４を含んで構成されている。ＵＳＢ機能判別部３５０は、不揮発性メモリー３５４に記憶した設定データを更新し、ＵＳＢデバイス制御部３２２またはＵＳＢホスト制御部３２４を有効化することにより、ＵＳＢホスト機能とＵＳＢデバイス機能とを切り替える。例えば、デフォルト（初期状態）では、設定データの値が０であり、無線通信装置３００は、ＵＳＢデバイス制御部３２２が有効化され、ＵＳＢデバイス装置として動作し、設定データの値を１に更新することにより、ＵＳＢホスト制御部３２４が有効化され、ＵＳＢホスト装置として動作する。
【００２８】
書画カメラ２００は、デバイス側ＵＳＢレセプタクル２１０と、ＵＳＢデバイス制御部２２０と、対象物を撮像して画像情報を生成する撮像部２８０を含んで構成されている。また、ＵＳＢケーブル５００は、Ｂ型ＵＳＢプラグ５１２と、デバイス側ＵＳＢプラグ５２２を含んで構成されている。また、ＵＳＢアダプター４００は、第１のＵＳＢレセプタクル４１２と、第２のＵＳＢレセプタクル４１４と、電力供給部４２０を含んで構成されている。ここで、ＵＳＢアダプター４００の内部の配線等について説明する。
【００２９】
図５は、第１の実施例におけるＵＳＢアダプター４００の配線の一例を示す図である。例えば、「Ｄ−（差動信号／負）」および「Ｄ＋（差動信号／正）」の２本の信号線を用いて通信を行うＵＳＢ規格に準じたコネクターの場合、１番ピンが「ＰＯＷＥＲ（ＶＢＵＳ）」であり、２番ピンが「Ｄ−（差動信号／負）」であり、３番ピンが「Ｄ＋（差動信号／正）」であり、４番ピンが「ＧＮＤ（信号ゼロ電位）」である。書画カメラ２００に接続されるＵＳＢケーブル５００のデバイス側ＵＳＢプラグ５２２に接続される第１のＵＳＢレセプタクル４１２の１番ピン（ＰＯＷＥＲ）が、電力線４３０を介して電力供給部４２０に接続され、無線通信装置３００−１における通信側ＵＳＢプラグ３１０に接続される第２のＵＳＢレセプタクル４１４の１番ピン（ＰＯＷＥＲ）が、電力線４３１を介して電力供給部４２０に接続されている。
【００３０】
また、第１のＵＳＢレセプタクル４１２の２番ピン（Ｄ−）が、データ線４４０を介して第２のＵＳＢレセプタクル４１４の２番ピン（Ｄ−）に接続されている。また、第１のＵＳＢレセプタクル４１２の３番ピン（Ｄ＋）が、データ線４４１を介して第２のＵＳＢレセプタクル４１４の３番ピン（Ｄ＋）に接続されている。また、第１のＵＳＢレセプタクル４１２、第２のＵＳＢレセプタクル４１４の４番ピン（ＧＮＤ）と電力供給部４２０のＧＮＤ（信号ゼロ電位）４２９は、グランド（Ｇｒｏｕｎｄ）線４５０を介して相互に接続され、第１のＵＳＢレセプタクル４１２、第２のＵＳＢレセプタクル４１４におけるノイズの影響を軽減するためのシールドは、シールド４６０を介して相互に接続されている。
【００３１】
また、電力供給部４２０は、各国の家庭用または工業用のコンセントに対応したＡＣケーブル７００に接続されるＡＣケーブル接続コネクター４２２と、ユーザーが、ＵＳＢアダプター４００の起動、終了またはリセットを行うための起動スイッチ４２４と、交流直流変換回路４２６と、過電流遮断スイッチ４２８と、ＧＮＤ４２９を含んで構成されている。ＡＣケーブル７００からの電力が、ＡＣケーブル接続コネクター４２２、交流直流変換回路４２６を介して過電流遮断スイッチ４２８に供給される。また、過電流遮断スイッチ４２８からの電力が、電力線４３０を介して第１のＵＳＢレセプタクル４１２に供給され、電力線４３１を介して第２のＵＳＢレセプタクル４１４に供給される。ここで、交流直流変換回路４２６は、例えば、９０ボルトから２４０ボルトまでの各国の家庭用または工業用のＡＣコンセント電圧に広く対応できるように構成されている。また、ユーザーは、各国の家庭用または工業用のコンセントの形状に応じて、対応するプラグ形状を有するＡＣケーブル７００を使用することにより、ＵＳＢアダプター４００をコンセントの形状の相違に対応させることができる。
【００３２】
なお、本実施例は「Ｄ−（差動信号／負）」および「Ｄ＋（差動信号／正）」の２本の信号線を用いて通信を行うＵＳＢ規格への適用を想定したものであるが、将来のＵＳＢ規格等、上記２本の信号線以外の信号線を用いるＵＳＢ規格に対しても同様に本実施例を適用可能である。また、Ｂ型ＵＳＢプラグ５１２等は通常サイズのＵＳＢプラグであるが、ミニプラグであってもよく、ＵＳＢレセプタクルはミニプラグに対応したものであってもよい。
【００３３】
また、プロジェクター１００等は、以下のハードウェアを用いてこれらの各部として機能してもよい。例えば、ＵＳＢホスト制御部１５０、３２４、無線通信制御部３３０、ＵＳＢデバイス制御部２２０、３２２、ＵＳＢ機能判別部３５０はＵＳＢコントローラー等、無線通信部３４０は無線ＬＡＮ、ワイヤレスＵＳＢ等の規格に準拠した無線通信ユニット等、投写部１９０はランプ、液晶パネル、液晶駆動回路、レンズ等、撮像部２８０はＣＣＤカメラ等を用いてもよい。
【００３４】
次に、本実施例における画像表示手順について説明する。図６は、第１の実施例における書画カメラ側の無線通信手順を示すフローチャートの一例を示す図である。事前準備として、無線通信装置３００−１、無線通信装置３００−２の製造者等は、無線通信装置３００−１をＰＣ等に差し込み、無線通信装置３００−１に記憶された設定データの値を１に更新することにより、無線通信装置３００−１をＵＳＢホスト装置として機能させるように設定しておく。なお、上述したように、無線通信装置３００−１、無線通信装置３００−２に記憶された設定データのデフォルト値は０であり、無線通信装置３００−１、無線通信装置３００−２は、初期動作時にＵＳＢデバイス装置として動作する。また、プレゼンター等は、図３に示す接続状態になるように、無線通信装置３００−１を、ＵＳＢアダプター４００、ＵＳＢケーブル５００を介して書画カメラ２００に接続し、無線通信装置３００−２をプロジェクター１００に接続しておく。
【００３５】
プレゼンター等は、ＵＳＢアダプター４００を起動し、電力供給部４２０は、第１のＵＳＢレセプタクル４１２、デバイス側ＵＳＢプラグ５２２、Ｂ型ＵＳＢプラグ５１２、デバイス側ＵＳＢレセプタクル２１０を介して、書画カメラ２００に電力を供給する（ステップＳ１）。また、電力供給部４２０は、第２のＵＳＢレセプタクル４１４、無線通信装置３００−１の通信側ＵＳＢプラグ３１０を介して、無線通信装置３００−１に電力を供給する（ステップＳ２）。書画カメラ２００は、撮像部２８０によって対象物（例えば、印刷資料、立体物等）を撮像して撮像画像を示す画像情報を生成し、無線通信装置３００−１を用いて、当該画像情報を、プロジェクター１００へ向け送信する（ステップＳ３）。
【００３６】
図７は、第１の実施例におけるプロジェクター１００での無線通信手順を示すフローチャートの一例を示す図である。ＵＳＢホスト制御部１５０は、ホスト側ＵＳＢレセプタクル１１０、無線通信装置３００−２の通信側ＵＳＢプラグ３１０を介して、電力供給部１７０からの電力を、無線通信装置３００−２に供給する（ステップＰ１）。また、ＵＳＢホスト制御部１５０は、無線通信装置３００−２の通信側ＵＳＢプラグ３１０、ホスト側ＵＳＢレセプタクル１１０を介して、書画カメラ２００からの画像情報を受信する（ステップＰ２）。投写部１９０は、ＵＳＢホスト制御部１５０からの画像情報に基づき、画像２０をスクリーン１０に投写する（ステップＰ３）。
【００３７】
以上のように、本実施例によれば、ＵＳＢアダプター４００は、ＵＳＢアダプター４００に接続された、書画カメラ２００と、ＵＳＢホスト機能が有効化された無線通信装置３００−１のそれぞれに対し、電力供給部４２０からの電力を供給することができる。さらに、書画カメラ２００と、無線通信装置３００−１とが、ＵＳＢアダプター４００が有するデータ線４４０、４４１を介して互いに情報のやりとりを行うことができる。これらにより、ＵＳＢアダプター４００は、書画カメラ２００と無線通信装置３００−１に電力を供給することができるため、無線通信装置３００−１を用いてＵＳＢインターフェイスを介して画像情報の送受信を行って画像を表示する場合等において、プロジェクター１００に接続される無線通信装置３００−２と同一のハードウェア構成を有する無線通信装置３００−１を、ＵＳＢケーブル５００を介して書画カメラ２００に間接的に接続して無線通信させることができる。
【００３８】
また、本実施例によれば、画像表示システムは、給電能力を備えたプロジェクター１００に接続される無線通信装置３００−２と、給電能力を備えていない書画カメラ２００に接続される無線通信装置３００−１とを、それぞれ専用に利用することなく、ＵＳＢデバイス装置として機能する書画カメラ２００が、ＵＳＢアダプター４００を介して、ＵＳＢホスト機能が有効化された無線通信装置３００−１に接続され、ＵＳＢホスト装置として機能するプロジェクター１００が、ＵＳＢデバイス機能が有効化された無線通信装置３００−２に接続された状態で、画像情報を無線で送受信することが可能になる。また、本実施例によれば、画像表示システムは、充電池やＡＣ電源アダプターを用いない無線通信装置３００を用いることができる。これにより、製造者等は、無線通信装置３００を小型化し、より低コストで製造することができる上、複数の無線通信装置３００−１、３００−２を同一の無線通信装置３００として法認可手続を受けることができるため、設計や法認可手続にかかるコストを抑制することができる。さらに、充電等の手間もかからないため、ユーザーは、より短時間でプレゼンテーション等を開始することができる上、プロジェクター１００や書画カメラ２００を長期間運用する場合も、ケーブル等の頻繁な取り外し等による不便さを感じることなく、運用することができる。
【００３９】
また、本実施例によれば、無線通信装置３００は、不揮発性メモリー３５４に記憶された設定データを更新することにより、ＵＳＢホスト機能とＵＳＢデバイス機能とを切り替えることができる。これにより、画像表示システムは、ＵＳＢホスト装置に接続される無線通信装置３００−２と同一のハードウェア構成を有する無線通信装置３００−１を、ＵＳＢデバイス装置に接続して無線通信させることができる。
【００４０】
また、本実施例によれば、画像表示システムは、有線接続ではなく、無線接続で画像情報を送受信することができる。これにより、ユーザーは、ＵＳＢデバイス装置と離れて配置されるプロジェクター１００を用いる場合であっても、ケーブル長の制約を感じることなく、無線通信を行わせて画像を表示させることができる。なお、プロジェクター１００および書画カメラ２００のＵＳＢインターフェイスとして既存のインターフェイスを用いることができるため、ユーザーは、使用状況に合わせて無線接続または有線接続を選択して使用することができる。
【００４１】
（第２の実施例）
第１の実施例では、ＵＳＢデバイス装置からＵＳＢホスト装置に情報を送信する状態でＵＳＢアダプター４００が使用されたが、ＵＳＢホスト装置からＵＳＢデバイス装置に情報を送信する状態でＵＳＢアダプターが使用されてもよい。また、各無線通信装置におけるＵＳＢホスト機能とＵＳＢデバイス機能の切り替えは、各無線通信装置によるＵＳＢアダプターとの嵌合によるスイッチのオンまたはオフの状態（嵌合状態）に基づいて行われてもよい。
【００４２】
図８は、第２の実施例における画像の表示状況の一例を示す図である。第２の実施例では、第１の実施例のプロジェクター１００と異なり、プロジェクター１０１は、ＵＳＢデバイス装置として機能し、電力供給部１７０を有していない。プロジェクター１０１は、ＵＳＢケーブル５００を介してＵＳＢアダプター４０１から電力が供給され、ＵＳＢアダプター４０１に接続された無線通信装置３０１−１を用いて、ＵＳＢホスト装置として機能するＰＣ６００に接続された無線通信装置３０１−２から画像情報を無線で受信することにより、スクリーン１０に画像２０を投写する。
【００４３】
図９（Ａ）は、第２の実施例におけるＵＳＢアダプター４０１を第１の視線方向で見た場合の斜視図であり、図９（Ｂ）は、第２の実施例におけるＵＳＢアダプター４０１を第１の視線方向と逆の視線方向で見た場合の斜視図である。また、図１０は、第２の実施例における画像表示システムを構成する各部の接続方法を示す図である。また、図１１は、第２の実施例における画像表示システムの機能ブロック図である。ＰＣ６００の有するホスト側ＵＳＢレセプタクル（Ａ型レセプタクル）６１０に無線通信装置３０１−２の有する通信側ＵＳＢプラグ３１０が差し込まれる。また、プロジェクター１０１の有するデバイス側ＵＳＢレセプタクル（Ｂ型レセプタクル）１３０にＵＳＢケーブル５００の有するＢ型ＵＳＢプラグ５１２が差し込まれ、ＵＳＢアダプター４０１の有する第１のＵＳＢレセプタクル４１２にＵＳＢケーブル５００の有するデバイス側ＵＳＢプラグ５２２が差し込まれ、ＵＳＢアダプター４００の有する第２のＵＳＢレセプタクル４１４に無線通信装置３０１−１の有する通信側ＵＳＢプラグ３１０が差し込まれる。
【００４４】
図９（Ａ）に示すように、無線通信装置３０１−１には通信側ＵＳＢプラグ３１０の付近に嵌合部の一種である凹部（第２の嵌合部）３９０が設けられている。なお、無線通信装置３０１−２にも無線通信装置３０１−１と同じ位置に凹部３９０が設けられている。ＵＳＢアダプター４０１における第２のＵＳＢレセプタクル４１４の付近には嵌合部の一種である凸部（第１の嵌合部）４９０が設けられている。ＵＳＢアダプター４０１と無線通信装置３０１−１または無線通信装置３０１−２が接続される際に、凸部４９０が凹部３５０に噛み合って接触するように、凸部４９０は、第２のＵＳＢレセプタクル４１４から突出した状態で設けられている。なお、ＰＣ６００のホスト側ＵＳＢレセプタクル６１０の近傍には凹部３９０に嵌合する凸部は設けられていない。
【００４５】
無線通信装置３０１の有するＵＳＢ機能判別部３５１は、凸部４９０と凹部３９０の嵌合によるスイッチ（不図示）のオンまたはオフの状態を検出する嵌合検出部３５６を含んで構成されている。ＵＳＢ機能判別部３５１は、凸部４９０と凹部３９０が嵌合することによってスイッチがオンになったことを嵌合検出部３５６が検出した場合、ＵＳＢデバイス制御部３２２を有効化することにより、無線通信装置３０１をＵＳＢデバイス装置として動作させ、当該検出が行われなかった場合、すなわち、ＵＳＢアダプター４０１を介さずに無線通信装置３０１がＵＳＢ機器（例えば、ＰＣ６００等）に接続された場合、ＵＳＢホスト制御部３２４を有効化することにより、無線通信装置３０１をＵＳＢホスト装置として動作させる。
【００４６】
プロジェクター１０１は、デバイス側ＵＳＢレセプタクル１３０と、ＵＳＢデバイス制御部１２０と、画像情報に基づいて画像を投写する投写部１９１を含んで構成されている。ＰＣ６００は、画像情報を生成する画像情報生成部６４０と、ＵＳＢホスト制御部６５０と、ホスト側ＵＳＢレセプタクル６１０と、ＡＣケーブル７２０を介してコンセントパネル８０２のコンセントから電力が供給されるとともに、画像情報生成部６４０、ＵＳＢホスト制御部６５０等に電力を供給する電力供給部６７０を含んで構成されている。なお、画像情報生成部６４０は、例えば、画像処理回路等であり、その他のハードウェア構成は上述した実施例と同様であるため、説明を省略する。
【００４７】
ＵＳＢホスト制御部６５０は、画像情報生成部６４０によって生成された画像情報を、ホスト側ＵＳＢレセプタクル６１０、無線通信装置３０１−２の有する通信側ＵＳＢプラグ３１２を介して無線通信装置３０１に出力することにより、無線通信装置３０１−２を用いてプロジェクター１０１へ向け画像情報を無線で送信する。プロジェクター１０１は、無線通信装置３０１−１を用いて当該画像情報を受信し、ＵＳＢアダプター４０１、ＵＳＢケーブル５００を介してデバイス側ＵＳＢレセプタクル１３０に当該画像情報が入力され、投写部１９１は、当該画像情報に基づき、画像２０をスクリーン１０に投写する。
【００４８】
以上のように、本実施例によっても、ＵＳＢアダプター４０１等は、第１および第２の実施例と同様の作用効果を奏する。特に、本実施例によれば、ＵＳＢアダプター４０１は、設定データではなく、物理的構造の状態に基づく判定を行うことにより、ノイズ等の影響を受けにくく、より正確な判定を行うことができる。
【００４９】
（その他の実施例）
なお、本発明の適用は上述した実施例に限定されず、変形が可能である。例えば、上述した実施例の構成を組み合わせてもよい。また、ＵＳＢホスト装置は、プロジェクター１００、ＰＣ６００に限定されず、例えば、ＤＶＤプレーヤー、携帯情報端末、ゲーム装置等であってもよい。また、ＵＳＢデバイス装置は、書画カメラ２００、プロジェクター１０１に限定されず、例えば、ＵＳＢフラッシュメモリー、ＵＳＢハードディスク等のＵＳＢストレージ装置、液晶モニター、ヘッドマウントディスプレイ、デジタルカメラ、デジタルビデオカメラ、携帯情報端末等であってもよい。また、画像表示装置は、プロジェクター１００に限定されず、例えば、液晶モニター、ヘッドマウントディスプレイ等であってもよい。また、画像表示システムの構成は、上述した実施例の構成に限定されない。また、無線通信装置３００、３０１によって送受信される情報は、画像情報に限定されず、例えば、音声情報、制御情報等であってもよい。
【００５０】
また、ＵＳＢアダプター４００、４０１は、内部にＵＳＢ信号の１対多の分岐を行うためのＵＳＢハブ回路を有し、第２のＵＳＢレセプタクル４１４の「Ｄ＋（差動信号／正）」および「Ｄ−（差動信号／負）」を複数の「Ｄ＋（差動信号／正）」および「Ｄ−（差動信号／負）」に分岐することにより、第１のＵＳＢレセプタクル４１２側を２つ以上のＵＳＢレセプタクルとして構成されるとともに、電力供給部４２０に３つ以上のＵＳＢ機器に電力を供給可能な電力出力が設けられることによって、３つ以上のＵＳＢデバイス装置に電力を供給してもよい。
【００５１】
また、無線通信装置３００〜３０２は、同時に３つ以上使用されてもよい。すなわち、無線通信装置３００〜３０２の通信形態は、１対１に限定されず、１対多であってもよい。
【００５２】
また、無線通信装置におけるＵＳＢホスト機能とＵＳＢデバイス機能の切り替えは、各無線通信装置に入力される電気信号に基づいて行われてもよい。また、第１の実施例では、ＵＳＢアダプター４００と書画カメラ２００が、ＵＳＢケーブル５００を介して間接的に接続され、ＵＳＢアダプター４００と無線通信装置３００−１が直接的に接続されているが、接続方法は任意であり、例えば、ＵＳＢアダプターと書画カメラ２００が直接的に接続され、ＵＳＢアダプターと第１の無線通信装置が間接的に接続されてもよい。また、ＵＳＢデバイス装置とＵＳＢケーブルとが一体化した構成のＵＳＢデバイス装置と、ＵＳＢアダプター４００等を組み合わせてもよい。ＵＳＢアダプター４００等は、このような構成のＵＳＢデバイス装置に対しても、無線通信装置３００等をＵＳＢホスト装置として機能させるように接続することができる。
【００５３】
また、無線通信装置におけるＵＳＢホスト機能を有効化させるか、ＵＳＢデバイス機能を有効化させるかを判別する方法は上述した実施例の方法に限定されない。例えば、ＵＳＢ機能判別部は、通信側ＵＳＢプラグ３１０に入力される電気信号に基づいて当該判別を行ってもよい。
【００５４】
図１２は、その他の実施例における画像表示システムの機能ブロック図である。無線通信装置３０２の有するＵＳＢ機能判別部３５２は、通信側ＵＳＢプラグ３１０に入力される電気信号を検出する電気信号検出部３５８を含んで構成されている。ＵＳＢ機能判別部３５２は、電気信号検出部３５８によって検出された電気信号に基づき、ＵＳＢホスト機能とＵＳＢデバイス機能とを切り替える。より具体的には、例えば、ＵＳＢ機能判別部３５２は、無線通信装置３０２を、初期動作時にＵＳＢホスト装置として起動させ、電気信号検出部３５８が、データ線４４０、４４１のいずれかがＨｉｇｈにプルアップされたことを検出すれば、そのままＵＳＢホスト装置として動作させ、Ｈｉｇｈにプルアップされたことを検出しなければ、無線通信装置３０２がＵＳＢホスト装置に接続されたと判別し、ＵＳＢデバイス制御部３２２を有効化し、ＵＳＢホスト制御部３２４を無効化することにより、ＵＳＢデバイス装置として動作させてもよい。
【００５５】
以上のように、このような実施例によっても、画像表示システムは、上述した実施例と同様の作用効果を奏する。また、本実施例によれば、無線通信装置３０２は、動作時に自動的に機能を決定することができるため、第１の実施例と比べ、事前の準備の手間を軽減することができる。
【００５６】
また、ＵＳＢ機能判別部は、嵌合以外の物理的接触（例えば、第２のＵＳＢレセプタクル４１４付近に設けられた進退可能な突起部との接触等）を検出したり、ＵＳＢアダプター４００から発せられる電波や光等を検出したりすることによって上述した判別を行ってもよい。
【００５７】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０、１９１は、ランプの代わりに有機ＥＬ素子、シリコン発光素子、レーザーダイオード、ＬＥＤ等の固体光源を含む自己発光素子を採用してもよい。また、プロジェクター１００、１０１の機能を複数の装置（例えば、ＰＣとプロジェクター等）に分散してもよい。
【符号の説明】
【００５８】
１０  スクリーン、２０  画像、１００  プロジェクター（ＵＳＢホスト装置、画像表示装置）、１０１  プロジェクター（ＵＳＢデバイス装置、画像表示装置）、１１０、６１０  ホスト側ＵＳＢレセプタクル、１２０、３２２、２２０  ＵＳＢデバイス制御部、１３０、２１０  デバイス側ＵＳＢレセプタクル、１５０、３２４、６５０  ＵＳＢホスト制御部、１７０、４２０、６７０  電力供給部、１９０、１９１  投写部（画像表示部）、２００  書画カメラ（ＵＳＢデバイス装置、撮像装置）、２８０  撮像部、３００〜３０２  無線通信装置、３１０  通信側ＵＳＢプラグ、３２０  制御部、３３０  無線通信制御部、３４０  無線通信部、３５０〜３５２  ＵＳＢ機能判別部、３５４  不揮発性メモリー、３５６  嵌合検出部、３５８  電気信号検出部、３９０  凹部（第２の嵌合部）、４００、４０１  ＵＳＢアダプター、４１２  第１のＵＳＢレセプタクル、４１４  第２のＵＳＢレセプタクル、４２２  ＡＣケーブル接続コネクター、４２４  起動スイッチ、４２６  交流直流変換回路、４２８  過電流遮断スイッチ、４２９  ＧＮＤ、４３０、４３１  電力線、４４０、４４１  データ線、４５０  グランド線、４６０  シールド、４９０  凸部（第１の嵌合部）、５００  ＵＳＢケーブル、５１０、５２０  コネクター、５１２  Ｂ型ＵＳＢプラグ、５２２  デバイス側ＵＳＢプラグ、５３０  ケーブル、６００  ＰＣ（ＵＳＢホスト装置、画像供給装置）、６４０  画像情報生成部、７００〜７２０  ＡＣケーブル、８００〜８０２  コンセントパネル
【図１】
2012008905.tif 000003
【図２】
2012008905.tif 000004
【図３】
2012008905.tif 000005
【図４】
2012008905.tif 000006
【図５】
2012008905.tif 000007
【図６】
2012008905.tif 000008
【図７】
2012008905.tif 000009
【図８】
2012008905.tif 000010
【図９】
2012008905.tif 000011
【図１０】
2012008905.tif 000012
【図１１】
2012008905.tif 000013
【図１２】
2012008905.tif 000014